(57)【特許請求の範囲】
【請求項１】
縦向部２を有する架台３と、この縦向部２に長手方向摺動自在に取付けた可動保持具４と、縦向部２に固定した固定保持具５を備え、
前記可動保持具４、固定保持具５は、搬送物の縦面の上被係止部、下被係止部が係止される上支持部２３と下支持部２４を有することを特徴とするパレット。
【請求項２】
架台３の縦向部２を、上フレーム１４と下フレーム１０を有するものとし、可動保持具４を、基体２０に上支持部２３、下支持部２４と上掛止部２１、下掛止部２２を設けたものとし、前記上掛止部２１は上フレーム１４の上部に摺動自在に嵌まり込む形状で、下掛止部２２は下フレーム１０の上部に摺動自在に嵌まり込む形状である請求項１記載のパレット。
【請求項３】
可動保持具４の基体２０に抜け止め部材２５を、上フレーム１４の下面１４ａと対向した第１の位置と上フレーム１４の下面１４ａと外れた第２の位置とに亘って移動自在に設け、この抜け止め部材２５を常時第１の位置に保持した請求項２記載のパレット。
【発明の詳細な説明】
【０００１】
【発明の属する技術分野】
本発明は、シャッター収納ケース等の搬送物を搬送する時に用いるパレットに関する。
【０００２】
【従来の技術】
シャッター収納ケースは下面が凹凸形状であってパレット上に正しい姿勢で載置できないし、パレット上に載置してパレットとともに搬送する際に振動等でパレットに対して揺れ動き、各部を破損する恐れがある。
【０００３】
そこで、従来はパレットの縦向部に上ピン、下ピンを長手方向に間隔を置いてそれぞれ設け、シャッター収納ケースの縦面を各上ピン、下ピンにそれぞれ係合することでシャッター収納ケースをパレットに正しい姿勢で、揺れ動きしないように支持している。
【０００４】
【発明が解決しようとする課題】
シャッター収納ケースを前述のようにしてパレットに支持する場合には、上ピン間の距離、下ピン間の距離をシャッター収納ケースの長さに応じてそれぞれ変える必要がある。そこで従来はパレットの縦向部に複数の上ピン取付孔、下ピン取付孔を長手方向に間隔を置いてそれぞれ形成し、シャッター収納ケースの長さに応じて上ピン、下ピンの取付け位置を変更している。
【０００５】
しかしながら、上ピン、下ピンの取付け位置を変更するにはピン取付孔から引き抜いた後に再び挿入するので、その操作は大変面倒であるし、パレットを縦向部に上ピン取付孔、下ピン取付孔を長手方向に間隔を置いてそれぞれ形成する作業が面倒である。
【０００６】
そこで、本発明は前述の課題を解決できるようにしたパレットを提供することを目的とする。
【０００７】
【課題を解決するための手段】
第１の発明は、縦向部２を有する架台３と、この縦向部２に長手方向摺動自在に取付けた可動保持具４と、縦向部２に固定した固定保持具５を備え、
前記可動保持具４、固定保持具５は、搬送物の縦面の上被係止部、下被係止部が係止される上支持部２３と下支持部２４を有することを特徴とするパレットである。
【０００８】
第２の発明は、第１の発明において、架台３の縦向部２を、上フレーム１４と下フレーム１０を有するものとし、可動保持具４を、基体２０に上支持部２３、下支持部２４と上掛止部２１、下掛止部２２を設けたものとし、前記上掛止部２１は上フレーム１４の上部に摺動自在に嵌まり込む形状で、下掛止部２２は下フレーム１０の上部に摺動自在に嵌まり込む形状であるパレットである。
【０００９】
第３の発明は、第２の発明における可動保持具４の基体２０に抜け止め部材２５を、上フレーム１４の下面１４ａと対向した第１の位置と上フレーム１４の下面１４ａと外れた第２の位置とに亘って移動自在に設け、この抜け止め部材２５を常時第１の位置に保持したパレットである。
【００１０】
【作    用】
第１の発明によれば、搬送物の縦面上下寄りの被係止部を可動保持具４、固定保持具５の上支持部２３、下支持部２４に係止することで、搬送物を可動保持具４、固定保持具５を介してパレットの縦向部２に正しい姿勢で装着支持できるし、搬送物が振動等によって揺れ動くことがない。
【００１１】
また、可動保持具４は縦向部２の長手方向に摺動自在であるから、搬送物の長さに応じて可動保持具４を摺動することで可動保持具４、固定保持具５の上支持部２３、下支持部２４の間隔を簡単に調節できる。
【００１２】
したがって、下面が凹凸である搬送物を正しい姿勢で、振動等で揺れ動くことなしに装着支持できるし、長さの異なる搬送物でも簡単な操作で装着支持できるパレットとなる。
【００１３】
第２の発明によれば、可動保持具４を上掛止部２１、下掛止部２２を介して上フレーム１４、下フレーム１０に沿ってスムーズに摺動できるし、可動保持具４を上フレーム１４、下フレーム１０に取付けたり、外したりすることができる。
【００１４】
第３の発明によれば、抜け止め部材２５を第１の位置とすれば可動保持具４を持ち上げると抜け止め部材２５が上フレーム１４の下面１４ａに干渉して可動保持具４が外れないし、抜け止め部材２５を第２の位置とすれば上フレーム１４の下面１４ａと干渉しないから可動保持具４を外すことができる。
【００１５】
これによって、可動保持具４を摺動する時等に外れることがないし、可動保持具４を取付け、外しすることができる。
【００１６】
【発明の実施の形態】
図１に示すように、横向部１と縦向部２でほぼＬ字状の架台３としてあり、その縦向部２に沿って可動保持具４を長手方向に移動自在に取付け、固定保持具５を固着してパレットとしてある。
【００１７】
前記横向部１は前後の下フレーム１０，１０と左右の端フレーム１１，１１と複数の横向連結フレーム１２で長手形の枠状としてある。
前記縦向部２は、前記一方の下フレーム１０と左右の柱部１３，１３と上フレーム１４と複数の縦向連結フレーム１５で長方形の枠状としてある。
【００１８】
前記可動保持具４は図２に示すように、矩形柱状の基体２０と、この基体２０の上部に設けた上掛止部２１と、基体２０の下部に設けた下掛止部２２と、基体２０の上部寄りに設けた上支持部２３と、基体２０の下部寄りに設けた下支持部２４と、基体２０に取付けた抜け止め部材２５で構成される。
【００１９】
前記上掛止部２１は横片２１ａと縦片２１ｂでほぼＬ字状となっている。横片２１ａが基体２０の上端面に固着され、縦片２１ｂは基体２０の一側面２０ａと対向して前記上フレーム１４に嵌まり込む下向コ字状の摺動用凹部２６を形成している。
【００２０】
前記下掛止部２２は上向縦片２２ａと横片２２ｂと下向縦片２２ｃでほぼクランク形状である。上向縦片２２ａが基体２０の一側面２０ａ下部寄りに固着され、下向縦片２２ｃは基体２０の一側面２０ａと対向して前記下フレーム１０に嵌まり込む下向コ字状の摺動用凹部２７を形成している。
【００２１】
前記上支持部２３は取付片２３ａと係止片２３ｂでくの字状としてある。その取付片２３ａが基体２０の他側面２０ｂに固着されて係止片２３ｂが斜め上向きとなっている。
【００２２】
前記下支持部２４は取付片２４ａとＬ字状の係止片２４ｂでほぼクランク形状である。その取付片２４ａが基体２０の他側面２０ｂに固着されて係止片２４ｂが上向きとなっている。
【００２３】
前記抜け止め部材２５は丸棒をほぼクランク形状に折曲して軸部２５ａと作用部２５ｂと操作部２５ｃを有する。その軸部２５ａがブラケット２８で基体２０の一側面２０ａに回転自在で、かつ水平に取付けてある。前記操作部２５ｃは作用部２５ｂよりも長尺で重量大となっており、抜け止め部材２５は常時作用部２５ｂが上向きで操作部２５ｃが下向きの第１の位置となっている。なお、スプリングで第１の位置に保持しても良い。
【００２４】
前記作用部２５ｂは摺動用凹部２６と対向し、図３，図４に示すように上フレーム１４の下面１４ａと微小隙間を置いて対向し、可動保持具４が上に動かないようにしてある。
【００２５】
このようであるから、操作部２５ｃを持って抜け止め部材２５を回転して作用部２５ｂを下向きとして上フレーム１４の下面１４ａと外れた第２の位置とすれば、上掛止部２１と下掛止部２２を上フレーム１４、下フレーム１０に嵌め込んで可動保持具４を取付けできる。
【００２６】
前述の状態で操作部２５ｃから手を離すと抜け止め部材２５が回転して作用部２５ｂが上向きとなる。このために、可動保持具４を持ち上げると、その作用部２５ｂが上フレーム１４の下面１４ａと干渉するので、可動保持具４が外れない。可動保持具４を外す時には抜け止め部材２５を前述のように回転する。
【００２７】
前記固定保持具５は基体２０に上支持部２３と下支持部２４を固着してある。その基体２０が下フレーム１０と上フレーム１４に溶接等で固着してある。
【００２８】
次に搬送物、例えばシャッター収納ケースＡを装着支持する作業を説明する。シャッター収納ケースＡの長さに応じて可動保持具４を上フレーム１４、下フレーム１０に沿って長手方向に摺動して可動保持具４と固定保持具５の間隔（上支持片２３、下支持片２４の間隔）を調節する。
【００２９】
シャッター収納ケースＡの取付縦面Ｂの上被係止部、下被係止部、例えば長手方向両側の角穴Ｃ、Ｌ字状の下端縁Ｄを上支持部２３の係止片２３ｂ、下支持部２４の係止片２４ｂにそれぞれ係止して、取付縦面Ｂを可動保持具４、固定保持具５の基体２０の他側面２０ｂに接して装着支持する。
【００３０】
これによって、下面Ｅが凹凸であるシャッター収納ケースＡを可動保持具４、固定保持具５によって正しい姿勢で、揺れ動くことなしに支持することができる。また、架台３は横向部１によって倒れることがない。
【００３１】
【発明の効果】
請求項１の発明によれば、搬送物の縦面上下寄りの被係止部を可動保持具４、固定保持具５の上支持部２３、下支持部２４に係止することで、搬送物を可動保持具４、固定保持具５を介してパレットの縦向部２に正しい姿勢で装着支持できるし、搬送物が振動等によって揺れ動くことがない。
【００３２】
また、可動保持具４は縦向部２の長手方向に摺動自在であるから、搬送物の長さに応じて可動保持具４を摺動することで可動保持具４、固定保持具５の上支持部２３、下支持部２４の間隔を簡単に調節できる。
【００３３】
したがって、下面が凹凸である搬送物を正しい姿勢で、振動等で揺れ動くことなしに装着支持できるし、長さの異なる搬送物でも簡単な操作で装着支持できるパレットとなる。
【００３４】
請求項２の発明によれば、可動保持具４を上掛止部２１、下掛止部２２を介して上フレーム１４、下フレーム１０に沿ってスムーズに摺動できるし、可動保持具４を上フレーム１４、下フレーム１０に取付けたり、外したりすることができる。
【００３５】
請求項３の発明によれば、抜け止め部材２５を第１の位置とすれば可動保持具４を持ち上げると抜け止め部材２５が上フレーム１４の下面１４ａに干渉して可動保持具４が外れないし、抜け止め部材２５を第２の位置とすれば上フレーム１４の下面１４ａと干渉しないから可動保持具４を外すことができる。
【００３６】
これによって、可動保持具４を摺動する時等に外れることがないし、可動保持具４を取付け、外しすることができる。
【図面の簡単な説明】
【図１】本発明の実施の形態を示す全体斜視図である。
【図２】可動保持具の斜視図である。
【図３】可動保持具取付部の正面図である。
【図４】全体縦断面図である。
【符号の説明】
１…横向部
２…縦向部
３…架台
４…可動保持具
５…固定保持具
１０…下フレーム
１４…上フレーム
１４ａ…下面
２０…基体
２１…上掛止部
２２…下掛止部
２３…上支持部
２４…下支持部
２５…抜け止め部材
２５ｂ…作用部
２５ｃ…操作部
Ａ…搬送物（シャッター収納ボックス）。
【図１】
0003627163.tif 000002
【図２】
0003627163.tif 000003
【図３】
0003627163.tif 000004
【図４】
0003627163.tif 000005